(57)【特許請求の範囲】
【請求項１】
コンクリートで構成された頭部（３）と首部（４）と脚部（５）とを備えた減衰要素（６）であって、
前記頭部（３）と前記首部（４）と前記脚部（５）とが該減衰要素（６）の長手方向（７）に互いに近接するように設けられ、
前記長手方向（７）に対して横向きの前記首部の断面が、前記長手方向に対して横向きの前記頭部（３）の断面より小さく、前記長手方向に対して横向きの前記脚部（５）の断面より小さく、
前記脚部（５）が、前記頭部（３）と前記首部（４）とに向かって徐々に狭まるテーパ状の周面（１８）を有するとともに、
前記脚部（５）が、前記周面（１８）の少なくとも一部分にわたって前記長手方向に対して横向きの方向を持つ凹所（１５，１５’，１５”）を有する
ことを特徴とする、減衰要素（６）。
【請求項２】
前記凹所（１５）が前記脚部（５）のすべての側面に設けられる、請求項１に記載の減衰要素（６）。
【請求項３】
前記凹所（１５）が凹溝（１５）の形を有する、請求項１または２に記載の減衰要素（６）。
【請求項４】
前記凹所（１５’，１５”）が前記脚部（５）の周方向に中断されている、請求項１ないし３のいずれか一項に記載の減衰要素（６）。
【請求項５】
前記凹所（１５）が前記脚部（５）の周方向における前記周面（１８）の全体にわたって連続して延在されている、請求項１ないし３のいずれか一項に記載の減衰要素（６）。
【請求項６】
前記脚部（５）の前記周面（１８）が、０°より大きく１８０°より小さい角度を二つずつで包囲する複数の側面を有する、請求項４または５に記載の減衰要素（６）。
【請求項７】
前記脚部（５）の前記周面（１８）の前記複数の側面のうち、互いに横向きの方向を持つ二つの側面がおよそ９０°の角度を包囲する、請求項６に記載の減衰要素（６）。
【請求項８】
前記複数の側面が、前記脚部（５）の周方向に凸状とされた形状を有する、請求項６または７に記載の減衰要素（６）。
【請求項９】
前記脚部（５）の底面または基部（１７）から距離を置いて、また前記脚部（５）と前記首部（４）との間の移行部から距離を置いて、前記凹所（１５）が配設される、請求項１ないし８のいずれか一項に記載の減衰要素（６）。
【請求項１０】
前記長手方向（７）に延びる境界面（１９）を介してともに結合される二つの減衰要素部品（２０，２１）が設けられている、請求項１ないし９のいずれか一項に記載の減衰要素（６）。
【請求項１１】
前記二つの減衰要素部品（２０，２１）が同一である、請求項８に記載の減衰要素（６）。
【請求項１２】
前記長手方向に延在する凹所がさらに設けられている、請求項１ないし１１のいずれか一項に記載の減衰要素（６）。
【請求項１３】
前記頭部（３）には、少なくとも一つの開口（９）が設けられている、請求項１ないし１２のいずれか一項に記載の減衰要素（６）。
【請求項１４】
前記長手方向（７）に対して横向きの第１主要方向において、前記頭部（３）の前記第１主要方向での横寸法ｃが、前記脚部（５）の前記第１主要方向での横寸法ａより大きい、請求項１ないし１３のいずれか一項に記載の減衰要素（６）。
【請求項１５】
少なくとも前記第１主要方向に対して横向きの方向を持つ前記側面が凹所（１５）を備える、請求項１４に記載の減衰要素（６）。
【請求項１６】
前記長手方向（７）に対して横向きの方向を持つとともに前記第１主要方向に対して横向きの方向を持つ第２主要方向において、前記頭部（３）の前記横寸法ｃが前記第１主要方向での前記頭部（３）の前記横寸法ｃと等しい、請求項１５に記載の減衰要素（６）。
【請求項１７】
前記長手方向（７）に対して横向きの方向を持つとともに前記第１主要方向に対して横向きの方向を持つ第２主要方向において、前記頭部（３）の前記横寸法ｃが前記第２主要方向での前記脚部（５）の前記横寸法ｂと等しい、請求項１５または１６に記載の減衰要素（６）。
【請求項１８】
前記脚部（５）には、互いに上下の複数の凹所（１５，１５’，１５”）が設けられている、請求項１ないし１７のいずれか一項に記載の減衰要素。
【請求項１９】
請求項１ないし１８のいずれかに記載の減衰要素（６）を複数含む列であって、
近隣の減衰要素（６）の少なくとも前記脚部（５）が互いに圧接されて粗砂や砂利などの硬質安定化粒子（１６）を包囲し、かつ、
互いに圧接された前記脚部（５）の前記凹所（１５）に前記安定化粒子（１６）が所在することを特徴とする、前記減衰要素（６）の列。
【請求項２０】
前記安定化粒子（１６）の寸法が前記凹所（１５）の奥行寸法より大きい、請求項１９に記載の列。
【請求項２１】
前記安定化粒子（１６）が、複数の減衰要素（６）のうちの一つの減衰要素（６）の前記凹所（１５）に達しているとともに、近隣の減衰要素（６）の前記凹溝（１５）に達している、請求項１９または２０に記載の列。
【請求項２２】
請求項１４ないし１７のいずれか一項に記載の減衰要素（６）が設けられ、前記近隣の減衰要素（６）が互いに斜めの方向を持ち、かつ、前記近隣の減衰要素（６）の前記頭部（３）が凹形状を画定する、請求項１９ないし２１のいずれか一項に記載の列。
【請求項２３】
前記凹形状を画定する前記近隣の減衰要素（６）の頭部（３）と前記減衰要素（６）の脚部（５）とが互いに直接的に当接している、請求項２２に記載の列。
【請求項２４】
請求項１９ないし２３のいずれか一項に記載の減衰要素（６）の列で構成されるライニング（２）により被覆される防壁体（１０）を備えた防水壁（１）。
【発明の詳細な説明】
【技術分野】
【０００１】
本発明は、長手方向に互いに近接するコンクリートの頭部と首部と脚部とを備えた減衰要素であって、減衰要素の長手方向に対して横向きでは首部が頭部および脚部よりも小さい断面を有する、減衰要素に関する。
【背景技術】
【０００２】
この種類の減衰要素は、例えば特許文献１から周知である。減衰要素は、例えば、波の作用の減衰に関連して防水壁で使用されうる。減衰要素の互いに隣接する頭部の間には開口が残り、これを介して、防水壁に衝突する水が浸透する。こうして著しい減衰効果が得られる。このように集められた水は、相互に隣接する細い首部の間に形成される流路システムを介して排出され、こうして減衰がさらに促進される。
【０００３】
波の作用により加えられる水力に抵抗可能なように減衰要素の安定化を図るため、脚部の直立側面は通常、上向き方向にいくぶん細くなるように構築されている。こうして形成される楔形状の間隙には、例えば砕石、粗砂、または砂利が詰められる。この種類の材料は、脚部が互いにしっかりと安定することを保証する。脚部の間隙が楔形状であることの結果として、脚部の強力な相互把持効果がこうして得られる。
【先行技術文献】
【特許文献】
【０００４】
【特許文献１】オランダ特許発明第２００４３４５号明細書
【発明の概要】
【発明が解決しようとする課題】
【０００５】
本発明の目的は、上述した種類の減衰要素を提供することであり、このような減衰要素の列の一部として、減衰要素はさらに良好な安定性を生む。発明のさらなる目的は、安定性が向上した防水壁を提供することである。以上および他の目的は、減衰要素の脚部が、その周面の少なくとも一部分にわたって、長手方向に対して横向きの方向を持つ凹所を有するという事実によって達成される。
【課題を解決するための手段】
【０００６】
脚部の周面にある凹所の重要な効果は、粗砂その他など上述の安定化粒子がその中に入り込むことである。安定化粒子は、凹所に存在すると、周面に沿った上向きまたは下向きの変位が限定的にのみ可能であるか全く可能でない。その結果、安定化粒子は、相互に隣接する減衰要素脚部を波の作用の効果に対してより良好に固定できる。これは、二つの相互隣接する減衰要素が設けられるとすると、一方の減衰要素の凹所と他方の減衰要素の凹所の両方へ安定化粒子が入り込む場合に特に当てはまる。
【０００７】
凹所の長手方向に対して横向きの方向は、長手方向での互いに対する減衰要素の変位がこうして防止されるため、重要である。それにもかかわらず、隣接する減衰要素の長手方向に対して横向きである、互いに対する相互ねじれまたは変位を防止するため、実質上または完全に長手方向に延びる凹所を設けることも可能である。
【０００８】
好ましくは、脚部の周面すべてに凹所が延在する。脚部は、すべての側面に、好ましくは脚部の外周面の側面に凹所を備える。その場合、近隣の隣接減衰要素に対して、周方向に見てすべての側面で減衰要素が安定化する。好ましくは、凹所は凹溝の形を有する。この凹所または凹溝は、周面の全体にわたって連続的に延在しうるが、これは不可欠ではない。凹所または凹溝はまた、周方向の一つ以上の箇所で中断されてもよい。
【０００９】
脚部の形状も変化しうる。好ましくは、その周面は、二つずつで互いに横向きの方向を持つ複数の相互に異なる側面を有する。好ましくは、脚部の周面は、二つずつで０°より大きく１８０°より小さい角度を包囲する複数の側面を有する。これは、三つの側面、四つの側面、またはそれ以上の側面の場合もありうる。このような形状は多角形に近似している。好ましくは、互いに横向きの方向を持つ二つの側面はおよそ９０°の角度を包囲する。この場合、減衰要素の脚部は方形または矩形を形成しうる。
【００１０】
さらに、脚部の側面は、脚部の周方向に凸状である形状を具備しうる。脚部の方形または矩形形状の場合に、このような側面は９０°よりいくらか大きい角度を包囲する。この種類の若干凸形状の利点は、望ましくない大きな間隙を形成せずに、互いにいくらかねじれた配置で減衰要素を位置決めする可能性を供えていることである。好ましくは、脚部の底面から、そして脚部と首部との間の移行部から距離を置いて凹所が配設される。この距離は好ましくは０以外である。
【００１１】
好ましくは、脚部は底面に基部を具備し、これにより減衰要素は土台にしっかりと設置されうる。脚部の周面はこの基部から長手方向に上向きに延在する。脚部はさらに、長手方向において頭部と首部とに向かって徐々に狭まるテーパ状とされた形状を有する。
【００１２】
減衰要素は、好ましくは全体がコンクリートで製作されうる。しかしながら、代替的で好適な実施形態によれば、長手方向に延びる境界面を介して結合される、好ましくはコンクリートの二つの減衰要素部品が設けられる。この種類の減衰要素部品は、開放鋳型での生産が容易である。減衰要素部品が同一である場合には、これはなお一層当てはまる。
【００１３】
減衰要素は、異なる外部形状で構築されてもよい。こうして例えば、それぞれ長手方向を中心に９０°回転された時に同形状の領域が常に存在する設計では、例えば回転対称になりうる。しかしながら、頭部および脚部に例えば異なる形状を与えることも可能である。長手方向に対して横向きの第１主要方向において、この方向での頭部の横寸法がこの方向での脚部の横寸法より大きい実施形態が好ましい。
【００１４】
この種類の実施形態において、減衰要素がこの方向に並置される場合には、頭部はそのため互いに当接し、一方で脚部は離間距離に配設されて間隙を包囲する。この実施形態は、近隣の減衰要素を互いに対していくらか斜めに設置することを可能にし、頭部は凹形状を画定し、一方では隣接する減衰要素の頭部と脚部の両方が互いに当接する。このような設置は、例えば堤防の最高部でのように、傾斜部分から平坦部分への防水壁の移行部に適している。
【００１５】
相互に隣接する減衰要素の長手方向は、これらの場合には小さい角度を包囲する。しかしながら、湾曲していない直線部分では、減衰要素はしかしながら近くに並置され、その長手方向は相互に平行な向きを持つ。その際に頭部は互いに当接し、一方で上記のように脚部は相互に間隙を包囲する。しかしながら、脚部の凹溝と、凹溝と粗砂粒子の相互作用との結果として、しかしながらこれらの領域にも安定したライニングが得られる。
【００１６】
第１主要方向に対して横向きの方向である側面は少なくとも、凹所を備える。そして安定化粒子が入り込む凹所は、湾曲領域と直線領域の両方で列の安定性に所望の貢献を行う。
【００１７】
さらに、長手方向に対して横向きの方向であるとともに第１主要方向に対して横向きの方向である第２主要方向では、頭部の寸法は第１主要方向での頭部の寸法と等しい。さらに好ましくは、長手方向に対して横向きの方向であるとともに第１主要方向に対して横向きの方向である第２主要方向では、頭部の寸法は第２主要方向での脚部の寸法と等しい。長手方向が平行である減衰要素の位置では、頭部と脚部の両方が互いに当接する。この種類の相互位置は、堤防体の長手方向の区分など大きな湾曲が存在せず直線状である区分では、有益である。
【００１８】
本発明はさらに、上述した減衰要素の列に関しており、近隣の減衰要素の少なくとも脚部が互いに圧接されて、粗砂や砂利などの硬質安定化粒子を包囲する。この場合、安定化粒子は、互いに圧接された脚部の凹所に存在する。好ましくは、安定化粒子の寸法は、凹所の奥行寸法より大きい。その利点は、ある減衰要素の凹所と隣接の減衰要素の凹所の両方に安定化粒子が存在することである。これは、安定効果を向上させる。
【００１９】
上記のように、各長手方向はゼロより大きい角度を包囲し、そのため近隣の減衰要素は互いに斜めの方向を持って、これらの近隣の減衰要素の頭部は凹形状を画定する。この場合、凹形状を画定する、近隣の減衰要素の頭部とこれらの減衰要素の脚部とは、互いに直接的に当接し、そのため、凹溝と粗砂粒子とにより生じる効果に加えて、安定したライニングが得られる。
【００２０】
本発明はさらに、上述したような減衰要素の列で構成されるライニングにより被覆される防壁体を包含する防水壁に関する。
【００２１】
上記のように、周面の少なくとも一部分にわたって、長手方向に対して横向きの方向を持つ凹所を備える脚部を有している減衰要素について説明してきた。この凹所は、脚部に局所的に配設されうる。局所的凹所の列も可能である。連続的または局所的に設けられて互いに上下に配設される複数の凹所を脚部が有することが、さらに可能である。連続的凹所と局所的凹所の列との組み合わせも可能である。凹所は脚部の外面で陥凹している。しかしながら、脚部の二つの顕著な隆起部または突出部の間に凹所を形成することも可能である。
【００２２】
以下では、図を元にして本発明がより詳細に説明される。
【図面の簡単な説明】
【００２３】
【図１】並置された減衰要素を示す。
【図２】図１のＩＩによる減衰要素の上面図を示す。
【図３】図１のＩＩＩによる減衰要素の脚部の断面を示す。
【図４】防水壁の垂直断面を示す。
【図５】図１のＶによる拡大詳細を示す。
【図６】可能である様々な凹所を有する脚部の詳細を示す。
【発明を実施するための形態】
【００２４】
図４に参照番号１で図示されている防水壁または堤防は、堤防本体１０とともに、多数の減衰要素６で構成されるライニング２で構成される。このライニングは、堤防本体１０の長手方向と図３に図示された横方向の両方で延在する。横方向において、減衰要素６はこの例では列として並置されている。長手方向でも、減衰要素６は列として配置されうる。堤防１の脚に周知の手法で設置されているのは、水塊１２の水面より下に配設されるロックフィル１１である。
【００２５】
水塊１２は、ライニング２の所定の高さまで達している。水塊２の上の波が砕けると、ライニング２は水力にさらされる。これは、個々の減衰要素６も負荷を受けることを意味している。ゆえに、ライニング２に存在する減衰要素６が、水の力に抵抗可能なように可能な限り固定されることが重要である。
【００２６】
図１および４にも図示されているように、各減衰要素６は頭部３と首部４と脚部５とで構成される。これらの部分は、参照番号７により概略的に示されている長手方向において互いに近接している。首部４は、頭部３および脚部５よりもかなり小さい断面を有する。その結果、相互に隣接する減衰要素６の間に流路システム８が形成される。脚部５は底面に基部１７を具備し、これにより減衰要素６が土台にしっかりと設置されうる。脚部５の周面１８は、この基部１７から長手方向７の上向きに延在して、長手方向７にいくらかテーパ状である形状を具備している。
【００２７】
図示されている例示的実施形態では頭部３は互いに近接しているが、流路システム８へ水が入り込むための相互開口９を包囲している。その結果、一方では水の力が減衰され、他方では流路システム８を介して水が非常に効果的に排出されうる。
【００２８】
図４に図示されているように、ライニング２は、堤防体１０の直線側面１３からその頂部１４に達しているため、減衰要素６の列には湾曲が生じる。減衰要素６の互いに対する相互位置はこうして変化し、直線側面１３の部位では近隣の減衰要素の長手方向７は相互に平行であるが、一方でこの直線側面１３から頂部１４までの移行部の部位では、近隣の減衰要素６の長手方向７は小さい角度を包囲している。しかしながら、直線側面の部位と頂部１４の部位の両方と、直線側面１３と頂部１４との間の移行部の部位の両方で、すべての減衰要素６が互いに同じように、緩みに対して充分に安定していることが重要である。
【００２９】
この状況では、様々な手段が講じられてきた。まず始めに、周面１８の若干テーパ状の形状の結果、これらの粗砂粒子１６は隣接の脚部５の間にクランプ効果を提供する。図２の上面図に図示されているように、頭部３の横寸法ｃが相互に垂直な方向において等しくなるように、減衰要素６は構築される。しかしながら、図３の断面に図示されているように、脚部５の二つの対応する相互垂直面での横寸法は異なっている。この場合、一方の横寸法ｂは頭部３の横寸法ｃと等しくなるように選択されるが、他方の横寸法ａはいくらか小さくなるように選択される。横寸法ａ，ｂは脚部５の基部１７の近くで測定されるものである。
【００３０】
減衰要素６は、その脚部５が低所から高所へ側面１３に沿って比較的小さい横寸法で設置されるように堤防体１０に設置されるが、脚部５は堤防体１０の長手方向の方が大きな横寸法ｂとなるように設置される。その結果、堤防体１０の長手方向に見ると、減衰要素６は、頭部３と脚部５の両方で互いに安定して当接している。しかしながら高所から低所まで直線側面１３に沿って見ると、頭部３は互いに当接しているが、脚部５の横寸法の方が小さいため脚部５の間には間隙が形成される。しかしながら、直線側面１３と頂部１４との間の湾曲移行部の箇所では、特定の減衰要素６の長手方向７が互いに小さい角度を包囲するため、脚部５も互いに当接している。
【００３１】
減衰要素を安定させるさらなる手段は、脚部５の外面に設けられる凹溝１５に関する。図示された例示的実施形態において、この凹溝１５は脚部５の周面の全体に延在するが、これは不可欠ではない。凹溝１５は長手方向７に対して垂直の方向を持つ。図３に、そして特に図１の拡大図に図示されているように、粒子１６で構成される粗砂が、近隣の減衰要素６の脚部５の間に詰められている。
【００３２】
これらの凹溝１５が粗砂粒子１６で充填された結果、直線側面１３の部位の減衰要素６も、横寸法が小さい結果として隣接の減衰要素６の間に存在する間隙にもかかわらず、それでも互いに充分に安定している。図５の拡大図に示されているように、一つの減衰要素の凹溝１５と近隣の減衰要素の凹溝１５の両方に一つの同じ粒子が突出可能なような寸法を粒子１６が有するという事実により、減衰要素６の相互安定がさらに高められる。減衰要素の脚部５はこうして、その長手方向で互いに対して変位不能であり、これは、このような減衰要素から成るライニングに、水の流れやうねりの力に対する非常に高い抵抗を付与する。相互に対向する凹溝１５は、相互に隣接する減衰要素６の間に、特に並置された脚部５の間に流路システムを形成する。
【００３３】
図１〜３に図示されているように、減衰要素６は好ましくは、境界面１９を介して互いに当接する同一の減衰要素部品２０，２１で構成される。
【００３４】
図６の脚部の詳細は、同じ種類が上下に、または異なる種類が上下に、各々が別々に使用されうる様々な形の凹所を示す。上下に設置された二つの凹溝１５は連続している。代替例として、または付加的に、隔離された凹所または穴１５’，１５”の列が使用されうる。この種類のすべての凹所でも、粗砂粒子の侵入の結果として、安定した減衰要素が得られる。
【符号の説明】
【００３５】
１  防水壁
２  ライニング
３  頭部
４  首部
５  脚部
６  減衰要素
７  長手方向
８  流路システム
９  開口
１０  堤防体
１１  ロックフィル
１２  水塊
１３  堤防体の直線斜面
１４  堤防体の頂部
１５，１５’，１５”  脚部の凹溝
１６  粗砂粒子
１７  脚部の基部
１８  脚部の周面
１９  境界面
２０；２１  減衰要素部品
ａ  脚部の比較的小さい横寸法
ｂ  脚部の比較的大きい横寸法
ｃ  頭部の横寸法
【図１】
0006738890.tif 000002
【図２】
0006738890.tif 000003
【図３】
0006738890.tif 000004
【図４】
0006738890.tif 000005
【図５】
0006738890.tif 000006
【図６】
0006738890.tif 000007